(57)【要約】【課題】  玄関等の出入口から出る際に制限時間がなく、女性や子供でも容易に警報システムの作動、解除が容易な警報システムを提供することにある。【解決手段】  この発明は、出入口に設けられた第１のエリアと出入り口を含まない第２のエリアとを有する家屋において、第１のエリアを対人検出対象とはせずに第２のエリアを対人検出対象として設置される対人センサと、第１のエリアに設置され対人センサを動作させるための第１のスイッチと、対人センサの検出信号を応じて駆動される警報器とを備えるものである。【選択図】      図１
2005222505.tif 000002
【特許請求の範囲】
【請求項１】
第１のエリアとこの第１のエリアを含まない第２のエリアとを有する家屋において、
前記第１のエリアを対人検出対象とはせずに前記第２のエリアを対人検出対象として設置される対人センサと、前記対人センサの検出信号に応じて駆動される警報器と、前記第１のエリアに設置され前記対人センサおよび前記警報器のいずれかを動作する状態に設定するための第１のスイッチとを備える警報システム。
【請求項２】
出入口に設けられた第１のエリアと前記出入り口を含まない第２のエリアとを有する家屋において、
前記第１のエリアを対人検出対象とはせずに前記第２のエリアを対人検出対象として設置される対人センサと、前記第１のエリアに設置され前記対人センサを動作させるための第１のスイッチと、前記対人センサの検出信号に応じて駆動される警報器とを備える警報システム。
【請求項３】
出入口に設けられた第１のエリアと前記出入り口を含まない第２のエリアとを有する家屋において、
前記第１のエリアを対人検出対象とはせずに前記第２のエリアを対人検出対象として設置され動作状態にある対人センサと、この対人センサの検出信号を応じて駆動される警報器と、前記第１のエリアに設置され前記警報器を動作する状態に設定するための第１のスイッチとを備える警報システム。
【請求項４】
前記第１のエリアは玄関に設けられ、前記第２のエリアは少なくとも前記玄関に隣接する間に設けられ、前記第１のスイッチは、磁気によりＯＮ／ＯＦＦされるスイッチ本体と前記第１のスイッチ本体をＯＮ／ＯＦＦさせるための着脱可能な磁石とからなる請求項２または３項記載の警報システム。
【請求項５】
前記磁石は特定の形状において前記第１のスイッチ本体に装着される請求項４記載の警報システム。
【請求項６】
前記第１のエリアは玄関に設けられ、前記第２のエリアは少なくとも前記玄関に隣接する間に設けられ、前記第１のスイッチは、隠れスイッチとして前記第１のエリアに設けられる手動操作のスイッチである請求項２記載の警報システム。
【請求項７】
さらに、前記対人センサを起動するための前記第１のスイッチあるいは前記第１スイッチ本体を有する起動回路を備え、前記対人センサは赤外線センサであり、前記第１のスイッチあるいは前記第１スイッチ本体がＯＮからＯＦＦにされたときに前記起動回路により前記対人センサが動作して、前記警報器が前記対人センサの検出信号を応じて所定の期間駆動される請求項３〜６のうちのいずれか１項記載の警報システム。
【請求項８】
前記起動回路は、駆動されていないときにはＯＮ状態になっている第２のスイッチを有し、前記対人センサは、前記第２のスイッチがＯＮ状態のときに動作をし、前記第１のスイッチあるいは前記第１スイッチ本体がＯＮ状態のときに前記第２のスイッチが駆動されてＯＦＦ状態にされる請求項７記載の警報システム。
【請求項９】
前記起動回路は前記第１のエリアに配置され、前記第２のスイッチが前記対人センサとともに前記第２のエリアに配置される請求項８記載の警報システム。
【請求項１０】
前記第２のエリアは、さらに前記対人検出対象となる監視エリアと前記対人検出対象外の非監視エリアとからなり、前記非監視エリアに設置され前記対人センサを動作させるための第３のスイッチとを有する請求項７記載の警報システム。
【請求項１１】
さらに、前記間欠駆動回路あるいはタイマを有し、前記警報器は、前記間欠駆動回路あるいは前記タイマにより駆動される警報音発生器あるいは発光器であり、前記対人センサは前記間欠駆動回路あるいは前記タイマを介して前記警報器が所定の期間駆動される請求項７記載の警報システム。
【請求項１２】
前記警報器に換えてあるいはこれとと共にカメラを有し、前記対人センサの検出信号を応じて前記カメラを動作させて前記第１のエリアあるいは第２のエリアの映像を採取する請求項７記載の警報システム。
【請求項１３】
さらに回線に接続される所定の携帯電話に前記回線を介して画像を転送するコンピュータシステムを有し、前記カメラにより撮像された映像が前記コンピュータシステムを介して前記所定の携帯電話に転送されて記憶される請求項１２記載の警報システム。
【請求項１４】
さらに回線に接続される所定の携帯電話に前記回線を介して画像とあらかじめ録音されている音声とを転送するコンピュータシステムを有し、前記カメラにより撮像された映像と音声とが前記コンピュータシステムを介して前記所定の携帯電話に転送されて記憶される請求項１２記載の警報システム。
【請求項１５】
前記対人センサの検出信号に応じて第２のスイッチをＯＮにし、この第２のスイッチを介して前記警報器に電力が供給され、前記第１のスイッチにより前記警報器が警報状態に設定される請求項３記載の警報システム。
【発明の詳細な説明】
【技術分野】
【０００１】
この発明は、警報システムに関し、詳しくは、対人センサにより警報を発する家庭用警報システムにおいて、玄関等の出入口から出る際に制限時間がなく、女性や子供でも容易に警報システムの作動、解除が可能で、さらに就寝中の夜間にも監視可能な安価な警報システムに関する。
【背景技術】
【０００２】
従来の対人センサによる警報システムにあっては、玄関等に設置され、在宅、留守の切換スイッチにより留守に設定されて監視時間帯に入るものが一般的である。しかも、人が最も多く出入りする玄関を監視エリアにしているために、タイマを設けて通常は数分後に監視状態に入るシステムになっている。この種の対人センサを備える警報システムでは、玄関を開ける鍵に連動して警報システムが解除される（非特許文献参照）。
また、セコム（登録商標）などの監視システムでは、玄関のみならず、窓等の出入り口にセンサを配置して家屋全体の出入り口を監視対象として各センサからの信号をコントローラで受けて集中管理をし、コントローラから回線を通してホストコンピュータ等に監視情報を転送するシステムとなっている。この種の監視システムは、大きなシステムであり、監視する人がセンタに配置されている。
【非特許文献１】竹中エンジニアリング株式会社のセキュリティ・情報機器総合カタログ
【０００３】
これらとは別に、一般家庭用の安価な警報システムとしては、防犯警報ブザーなどがある。これは、ドアあるいは窓などに両面接着テープで固定する磁石付きスイッチを介してドアあるいは窓が開放されたときにブザーを駆動するものである。これは、ＯＮ／ＯＦＦスイッチにより夜間に監視状態に入り、磁石がスイッチから一定距離離れたときにブザーが鳴る装置である。
【発明の開示】
【発明が解決しようとする課題】
【０００４】
前者の警報システムでは、出入り口において監視動作に入り、玄関を開ける鍵に連動して警報システムが解除されるために、二階あるいは三階建ての家屋の二階あるいは三階で就寝中の時間帯に警報システムを動作させることは難しい。また、後者の家屋全体の出入り口にセンサを配置する監視システムは、高価な監視システムであるため、比較的経済的に裕福な家庭が対象となっていて、一般庶民を対象とするようなものにはなっていない。しかも、監視時間に入るのに、時間制限があるために女性や子供などではあわてて神経を使うものとなっている。
さらに、最後の防犯警報ブザーなどでは、室内において監視状態に設定しなければならないために、玄関に設けた場合には外出時にＯＮにして玄関から出ることはできない。
現在の一般家庭用の警報システムには、安価で容易に監視設定、解除設定ができる監視システムがほとんどなく、また、玄関から出る際には制限時間があるので警報システムの作動、解除には神経を使わなければならない問題がある。そのため、女性や子供では扱い難いものとなっている。
この発明の目的は、このような従来技術の問題を解決するものであって、玄関等の出入口から出る際に制限時間がなく、女性や子供でも容易に警報システムの作動、解除ができる警報システムを提供することにある。
さらに、この発明の他の目的は、特定なエリアを女性や子供でも容易に警報システムの作動、解除ができる警報システムを提供することにある。
【課題を解決するための手段】
【０００５】
このような目的を達成するためのこの発明の特徴は、第１のエリアとこの第１のエリアを含まない第２のエリアとを有する家屋において、
第１のエリアを対人検出対象とはせずに第２のエリアを対人検出対象として設置される対人センサと、対人センサの検出信号に応じて駆動される警報器と、第１のエリアに設置され前記対人センサおよび警報器のいずれかを動作する状態に設定するための第１のスイッチとを備えるものである。
【発明の効果】
【０００６】
このようにこの発明にあっては、第１のエリアを対人検出対象（監視範囲）に含まないので、時間に制限されずに第１のエリアに配置された第１のスイッチをＯＮあるいはＯＦＦにすれば、監視状態あるいはその解除が時間制限なく自由に選択できる。
例えば、第１のエリアを玄関等の出入り口とした場合に、玄関等の出入り口では、泥棒等の家屋侵入者は、玄関だけに留まらずに必ず他のエリアに移動するので、第２のエリアに入ったときに警報を発して撃退することができる。したがって、この第２のエリアは玄関に隣接したエリアを選択することが好ましい。
また、監視範囲外の玄関等に入ったときに即座に警報を発しないので、逆に次の間に移動し易く、この点で警報に驚かされる利点ある。もちろん、第１のスイッチが操作されて警報システムを遮断されてしまえば監視はできなくなるが、第１のスイッチを隠しスイッチ等にしてあるいは第１のスイッチを分離型としてその一方を持ち歩くなどすれば他人はいっそう第１のスイッチによる解除操作が難しくなる。それにより安全性が確保できる。
この場合、第１のスイッチがＯＦＦしたときに対人センサを動作させるようにすれば、たとえ、玄関側の第１のスイッチが破壊されたりあるいは対人センサまでの配線が遮断されても対人センサは動作するので、これにより警報システムの信頼性を向上させることができる。
その結果、特定なエリア、例えば、玄関等の出入口から出る際に制限時間がなく、特定なエリアについて、女性や子供でも警報システムの作動、解除が容易な警報システムを実現できる。
また、第１のエリアが対人検出対象としないシステムであり、そこに第１のスイッチを設ける構成であるので、システム全体が安価なものとなる。
【発明を実施するための最良の形態】
【０００７】
図１は、この発明の警報システムを適用した一実施例の回路図、図２は、その家屋における配置図、図３は、この発明の警報システムを適用したさらに他の実施例の説明図、図４は、磁石とスイッチ本体との鍵型結合の説明図、そして図５，図６は、この発明の警報システムを適用したさらに他の実施例の説明図である。
以下、実施例について詳細に説明する。
【実施例１】
【０００８】
図１において、１は、警報システムであって、対人センサ２が図２に示すように、玄関１０の次の間１１の天井に設置されている。対人センサ２は、いわゆる、人体から放射された赤外線を受けて検出信号を発生する赤外線センサである。
詳しくは、これは、人体検知センサーであって、多面ミラーを介して人体が発生する赤外線を赤外線センサで受けて、赤外線センサで得られる検出信号を増幅器で増幅し、フィルタ処理をして人の動きに対応する周波数範囲、例えば、０．１Ｈｚ〜１０Ｈｚ程度の低周波領域の信号を取出し、この信号をコンパレータにより所定の閾値と比較して閾値を越えた信号を検出信号として得るものである。さらに、この対人センサ２には、この検出信号を駆動回路に送出してリレースイッチあるいは半導体スイッチ等を駆動することで発光部等を駆動するものである。
この対人センサ２は、玄関１０の出入り口１０ａ（第１のエリア）にはセンサ感度エリア（対人検出範囲）Ｓ（図２参照）がない状態で設置される。それにより玄関１０の出入り口を含まない次の間１１の監視エリア１１ａ（センサ感度エリアＳ，第２のエリア）において、人体から放射された赤外線を受けて次の間１１の侵入者を検出する。対人検出範囲Ｓは、人体からの赤外線を受光して人体を検出できる対人センサ２２の検出対象のエリアである。
対人センサ２が設置された次の間１１（対人センサ２側）には、起動回路３と間欠駆動回路４とが設けられ、対人センサ２は、間欠駆動回路４を介してベル等の警報器５を駆動する。そこで、警報器５は、間欠駆動回路４に接続されて、これにより駆動される。
間欠駆動回路４は、対人センサ２が検出動作をしたときに起動され、これが起動されたときには、例えば、１分置きに５分間、警報器５を所定の期間の間、例えば、３０分間の間駆動する。なお、誤動作等でこの３０分間の駆動を停止するために警報器５には動作停止スイッチ６が設けられている。この動作停止スイッチ６は、隠れスイッチとして警報器５のケース６ａに内蔵されている。
図２において、１２は、二階あるいは他の階にある主寝室であり、ここは対人センサ２の監視範囲外（非監視エリア）となっていて、ここには、スイッチ８が設けられている。
【０００９】
起動回路３は、常時開離形（メーク接点／駆動されたときにＯＮ）のリードスイッチからなるスイッチ本体３１と、起動回路本体３２、そして配線ライン３３とからなる。起動回路本体３２は、対人センサ２側のケース２０に内蔵され、電源回路３４、リレー駆動回路３５、そしてリレースイッチ３６とからなる。なお、リレースイッチ３６は、ブレーク接点（常時閉成形／駆動されていないときにＯＮ）のリレーである。
リレー駆動回路３５は、バイアス抵抗Ｒ1，Ｒ2とＮＰＮのバイポーラトランジスタＱからなる。ここで、配線ライン３３の長さは、スイッチ本体３１が対人センサ２の対人検出対象の外に引き出される長さ、例えば、１０ｍ〜１５ｍ程度のものになっている。
出入り口１０ａ（第１のエリア）に設けられたスイッチ本体３１は、対人センサ２の設置場所から玄関１０まで取り出された配線ライン３３により起動回路本体３２のバイポーラトランジスタＱのベースに接続される。
さらに、スイッチ本体３１は、玄関１０において、図２に示すように、対人センサ２の監視エリア（対人検出範囲Ｓ）に入らない位置（第１のエリア）に設置されている。例えば、スイッチ本体３１は、出入り口１０ａに配置された下駄箱内部にボックスを設けて、これに収納する隠れスイッチにするとよい。
スイッチ本体３１は、磁石７が装着されてＯＮになり、磁石７が取り外されたときにはＯＦＦになる、いわゆるメーク接点のスイッチである。この点、リレースイッチ３６は、逆にブレーク接点のリレーであり、起動回路本体３２が動作していないときにＯＮになる。通常、電子回路の基板に搭載するＤＣ５Ｖ以下で動作する市販さているボックス形のリレースイッチをとして使用するとよい。
なお、ＤＣ１２Ｖ電源電圧動作のリレースイッチをリレースイッチ３６として使用するときには、電源回路３４の電源電圧を１２Ｖか、それ以上とする。もちろん、駆動状態でＯＦＦし、駆動しないときにはＯＮ状態に設定できる半導体スイッチ回路をリレースイッチ３６に換えて使用してもよい。
なお、図は、磁石７がスイッチ本体３１に装着されており、スイッチ本体３１はメークされ、起動回路３が動作状態にあって、リレースイッチ３６のブレーク接点がブレークされて、この警報システム１が監視状態に入っていない場合を示している。
【００１０】
電源回路３４は、プラグ３４ａが介してＡＣ電源にコンセントに接続され、＋６ＶのＤＣの電力をリレー駆動回路３５に供給する。なお、プラグ３４ａは、対人センサ２のプラグにもなっていていてこれによりリレースイッチ３６を介して電力供給を行う。
リレー駆動回路３５は、スイッチ本体３１とバイアス抵抗Ｒ1，Ｒ2とＮＰＮのトランジスタＱとからなり、そのコレクタ側にリレースイッチ３６が設けられ、これを介して電源回路３４の電源電圧ライン＋Ｖcc（＝６Ｖ）に接続されている。
トランジスタＱのベースと電源電圧ライン＋Ｖccとの間にバイアス抵抗Ｒ1とスイッチ本体３１とバイアス抵抗Ｒ2の直列回路が設けられている。
ところで、バイアス抵抗Ｒ1，Ｒ2とトランジスタＱを設けているのは、スイッチ本体３１（リードスイッチ）の電流量を抑え、かつ、配線ライン３３の長さを稼ぐためである。もちろん、配線ライン３３を長く引き出して数十ｍＡ以上の電流をスイッチ本体３１に常時流してよいスイッチとすれば、リレー駆動回路３５は、スイッチ本体３１とリレースイッチ３６とを単に直列に接続するだけであってもよい（図５の実施例参照）。
トランジスタＱは、スイッチ本体３１に磁石７が装着されてＯＮしているときには、バイアス抵抗Ｒ1，Ｒ2を介してベース電流が供給されてＯＮ状態に設定され、リレースイッチ３６に電流が流れてこれが駆動される。このときにはその接点はブレーク（ＯＦＦ）しているので、対人センサ２が動作しない。
すなわち、スイッチ本体３１に磁石７が装着されているときには、起動回路３のスイッチ本体３１がＯＮとなっていて電流が常時リレースイッチ３６に流れる。これによりリレースイッチ３６はＯＦＦ状態に保持される。一方、対人センサ２は、リレースイッチ３６を介してＡＣ電力が供給されるので、リレースイッチ３６がＯＦＦ状態にあるときには動作しない。これにより玄関１０の次の間１１は監視状態に入らない。
【００１１】
一方、磁石７がスイッチ本体３１から切り離されたときには、リレースイッチ３６に電流が流れなくなり、リレースイッチ３６はＯＦＦからＯＮ状態になる。これにより、対人センサ２に電力が供給されて、これが起動され、対人センサ２は、人体から放射される赤外線を受ける状態に設定され、玄関１０の一部と玄関１０の次の間１１が監視状態に入る（図２の対人検出範囲Ｓ参照）。
８は、リレースイッチ３６に並列に設けられたスイッチであって、配線ライン９を介して主寝室１２に設けられる。ここで、配線ライン９の長さも、スイッチ８が対人センサ２の対人検出範囲の外に引き出される長さになっている。
【００１２】
このような警報監視システムにおいては、外出等で玄関１０から外へ出る際に磁石７をスイッチ本体３１から取り外して持ち出せば、対人センサ２が動作して監視状態（警報状態）に入ることができる。磁石７をスイッチ本体３１に装着すれば、監視状態を解除して元の状態に容易にできる。
さらに、リレースイッチ３６はブレーク接点（常時閉成形）のリレーであるので、スイッチ本体３１が破壊されたり、配線ライン３３が切断されても監視状態は解除できない。したがって、泥棒等の家屋侵入者がスイッチ本体３１を発見して破壊し、あるいは配線ライン３３を切断して玄関１０から次の間１１に入ったとしても、対人センサ２は動作し、対人センサ２が侵入者を検出して間欠駆動回路４が起動されて警報器５が作動する。たとえ侵入者が次の間１１を出ても警報器５は鳴り続ける。
一方、就寝するときには、スイッチ８をＯＮにする。これにより、対人センサ２が動作して監視状態（警報状態）に入ることができる。スイッチ８は、２４時間タイマを使用すると自動的に就寝時間に合わせて、例えば、夜１２時から朝の５時までの間ＯＮ状態に設定することができる。
【実施例２】
【００１３】
図３は、警報器５を発光器５０に換えて、さらにカメラ５１を設けたものである。さらに、回線５２に接続されて所定の携帯電話５３に回線５２を介して画像を転送するコンピュータシステム５４が設けられている。もちろん、警報器５と発光器５０とを共に設けてもよい。
コンピュータシステム５４とデジタルカメラ５１とはＵＳＢバス５５により接続され、デジタルカメラ５１により撮像された映像は、コンピュータシステム５４に一旦記憶され、コンピュータシステム５４に記憶されている予め指定された携帯電話５３の番号にコンピュータシステム５４に内蔵された通信制御システム、回線５２に接続せれたサーバを介して転送されて携帯電話５３に記憶される。
なお、この場合、携帯電話５３には受信画像を記憶するプログラムが内蔵されている。また、このような画像を受信したときには、携帯電話５３に警報音を発生させ、警報画像を表示させるようにするとよい。
これにより、泥棒等の家屋侵入者の顔写真等の画像が携帯電話５３に記憶され、後日証拠として提出することが可能になる。
ところで、対人センサ２が検出動作をしたときには、発光器５０とデジタルカメラ５１とが間欠駆動回路４により駆動され、例えば、１秒間に３枚の画像が採取される。さらに、このとき、録音装置を設けて、画像の採取とともに音声等の録音をして携帯電話５３に転送し、記憶するようにすることも可能である。
【００１４】
図４は、磁石７とスイッチ本体３１との鍵型結合の説明図である。
図４（ａ）に示すように、スイッチ本体３１の磁石７を受けるケース３１ａの表面に凹凸部３１ｂを設けて、図４（ｂ）に示すように、磁石７の結合面に逆の凹凸部７ａを設けて、図４（ａ）のＡ−Ａ断面図である図４（ｃ）に示すように、ケース３１ａの表面の窪み３１ｃに磁石７が装着されて、スイッチ本体３１と磁石７とが結合するようにすれば、凹凸部３１ｂ，凹凸部７ａの嵌合形状を変化させることで鍵の役割を果たすことができる。これにより、磁石７がない限りは、監視状態（警報状態）を解除できないことになる。
これによりより安全性がさらに向上する。なお、磁石７の凹凸は、磁石７の表面等に金属板などを張れば容易に製造できる。
【実施例３】
【００１５】
図５は、この発明の警報システムを適用したさらに他の実施例の説明図である。
ＤＣ１２Ｖの電池による動作を可能としたものである。
コントロールボックス１３には、ターミナルボックス１４と、電源回路３４、リレースイッチ２ａ、８ａ，３６、電源切換ダイオードＤ、電池１５とが内蔵され、ターミナルボックス１４の接続端子(1)〜(10)（図では丸付き数字）を介して対人センサ２とスイッチ８、警報器５としてのベル５ａ等が接続される。動作電源としてＡＣ１００ＶとＤＣ１２Ｖの選択が可能である。
メーク接点のリレースイッチ２ａは、対人センサ２の検出動作でＯＮするスイッチであり、対人センサ２から信号線Ｓ1，Ｓ2を介して得られる検出信号の電流がコイル２ｂに流れて駆動される。リレースイッチ２ａは、先の実施例の間欠駆動回路４に換えて設けられている。
この実施例では、警報器５としてベル５ａが用いられ、ベル５と対人センサ２とが次の間１１に配置され、電源側の配線ライン１６，１７と信号線Ｓ1，Ｓ2とを介して玄関１０の出入り口１０ａに配置されたコントロールボックス１３のターミナルボックス１４の端子(7)〜(10)に配線される。
【００１６】
以下、これについて説明すると、端子(1)，端子(2)には、ＡＣ１００Ｖのプラグ３４ａのコードが接続される。端子(1)，端子(2)は、コントロールボックス１３（ターミナルボックス１４の内部）で電源回路３４に接続されている。電源回路３４の出力電圧は、ここでは＋Ｖcc＝ＤＣ１３Ｖであり、その電源ラインが端子(6)に内部で接続され、端子(7)がグランドＧＮＤになっている。また、端子(6)に内部で順方向にダイオードＤが接続されて、この順方向のダイオードＤを介して電池１５の＋極が端子(6)に接続され、電池１５の−極が接地されている。この電池１５は、ターミナルボックス１４に設けられたケースに収納されている。
ベル５ａは、配線ライン１８，１９を介して端子(3)，端子(7)に接続され、コントロールボックス１３（ターミナルボックス１４の内部）では、端子(3)にリレースイッチ２ａのメーク側接点が接続され、端子(4)が共通接点に接続されている。そして、リレースイッチ２ａの駆動コイル２ｂが端子(9)，(10)にその内部で接続されている。対人センサ２の電源側の配線ライン１６，１７が端子(8)，端子(7)にそれぞれ接続され、端子(9)と端子(10)とに対人センサ２の信号線Ｓ1，Ｓ2がそれぞれ接続されている。なお、端子(7)は接地端子である。
スイッチ８は、ターミナルボックス１４の端子(5)，(6)に接続される。
【００１７】
隠しスイッチ３１０は、前記スイッチ本体３１と磁石７に対応する、通常の手動操作のＯＮ／ＯＦＦスイッチであって、コントロールボックス１３の内部にスイッチのＯＮ／ＯＦＦができる状態で収納されている。図では、隠しスイッチ３１０は、ＯＦＦ状態にあって、対人センサ２が動作している状態にある。
隠しスイッチ３１０は、端子(６)とリレースイッチ３６の駆動コイル３６ａとの間に設けられ、この駆動コイル３６ａを介して端子(7)に接続され、これを介して接地されている。メーク接点のリレー８ａは、スイッチ８がＯＮにされたときにＯＮになるリレーであって、そのコイル８ｂの一端が端子(5)に接続され、他端が接地されている。リレースイッチ８ａのメーク接点は、端子(6)と端子(8)との間に挿入されている。
ここで、端子(6)は、電源供給端子となっている。
【００１８】
これにより、通常は、ＡＣ１００Ｖのプラグ３４ａがＡＣ１００Ｖのコンセントに接続されて、電源回路３４により端子(6)に電力供給が行われ、端子(6)を介してベル５ａ、対人センサ２等に電力が供給される。
ベル５ａは、ＯＮしたリレースイッチ２ａを介して端子(4)，端子(3)，端子(7)により電力供給され、対人センサ２は、隠しスイッチ３１０がＯＦＦされることによって電力が供給されなくなり、リレースイッチ３６のブレーク接点がメーク状態となって、この接点を介して端子(6)，端子(8)，端子(7)により電力供給される。
これにより対人センサ２が動作し、対人センサ２が人を検出する動作をしたときには、その検出信号が信号線Ｓ1，Ｓ2，端子(9)と端子(10)を介してリレースイッチ２ａのコイルに供給されて、これがＯＮになる。
また、プラグ３４ａを介して供給されたいるＡＣの電力が供給されなくなったときには、ダイオードＤを介して電池１５に電源が切り換えられて電力が供給される。
夜間などには、スイッチ８をＯＮにすることで、リレースイッチ８ａの接点がＯＮとなるので、リレースイッチ８ａのメーク接点，端子(6)，端子(8)，端子(7)により対人センサ２に電力が供給されて、対人センサ２が動作状態になる。
ところで、端子(3)と配線ライン１８との間にはタイマあるいはタイマとベル停止スイッチ等を設けてもよい。
なお、この実施例にいては、停電等により商用のＡＣ電源から電力供給がされなくなっても、電池１５により監視動作を続けることができる。もちろん、電池１５のみにより動作させるようにしてもよい。
【００１９】
ところで、人が近づくと発光器（ランプ）を作動させる一般的な家庭用の「センサライト」と言われる対人センサ＋ライトの防犯装置が市販されている。これは、対人センサ２とリレーとが一体になっていて、対人センサ２の検出信号によりリレーをＯＮにして、ＡＣ１００Ｖの電流をハロゲンランプ等の発光器に供給して一定期間発光させるものである。
図６は、この一般に販売されているセンサライト（対人センサの防犯装置）を利用した他の実施例である。そのため、監視時間帯では図１の対人センサ２は常時動作状態にさせておく。対人センサ２に換えて警報器５の警報動作の設定をスイッチ３１のＯＮ／ＯＦＦで行う。これにより、対人センサ２の検出信号とスイッチ３１（第１のスイッチ）の信号との論理積により警報器５を駆動することができる。
このような構成を採ることで、この実施例では、市販の磁石スイッチ式のドア，窓用の防犯警報ブザー６１を図１の実施例の警報器５として利用することが可能になる。その結果、すでにある市販されたものだけでこの警報システムを構築することが可能になる。
磁石スイッチ式のドア，窓用の防犯警報ブザー６１は、ドアあるいは窓が開けられたときに、警報のためにブザーが鳴るものとしてすでに販売されている。これは、ドアあるいは窓が開けられると、磁石７が窓用の防犯警報ブザー６１の本体から離れて内部に装填されているリードスイッチ３１がＯＮあるいはＯＦＦになる。それにより、ブザー駆動回路６２が動作して圧電スピーカ６３を駆動する。
そこで、このドア，窓用の防犯警報ブザー６１の磁石スイッチを磁石スイッチ７として利用し、内部に設けられたリードスイッチをスイッチ３１として利用する。防犯警報ブザー６１の本体から磁石スイッチ７を切離して、防犯警報ブザー６１を警報動作状態にあらかじめ設定して監視状態に入るようにしておく。
防犯警報ブザー６１には、対人警報センサ６０の対人センサ＋スイッチ（市販のセンサライト（対人センサ＋ライトの防犯装置）の発光器（ランプ）を除いた対人センサとリレースイッチからなるもの）の対人検出信号に応じてそのＯＮしたリレースイッチ６０ａを介して電力を供給して防犯警報ブザー６１を警報動作させる。これにより、すでにある市販の製品を利用して安価な警報システムを構築できる。
対人警報センサ６０（対人センサの防犯装置）は、リレースイッチ６０ａに直列に接続されているハロゲンランプ等の発光器を取り外したセンサライト（対人センサ＋スイッチ）において、発光器（ランプ）に換えて図１の電源回路３４が設けられて構成される。電源回路３４の電圧変換のためのトランス３４ｂの一次側をリレースイッチ６０ａに直列に接続してＡＣ１００Ｖが供給されるようにする。そして、このトランス３４ｂの二次側の出力に両波整流の整流回路３４ｃを設ける。整流回路３４の出力側を直接引出して、配線ライン６４により１０ｍ程度引出したその先に１Ω程度のヒューズ抵抗Ｒを直列に挿入して、コンデンサＣを整流回路３４の出力に並列に設ける。その先に防犯警報ブザー６１の電池が装着される電力供給端子を接続して防犯警報ブザー６１に電力が供給できるようにする。これで、このコンデンサＣが防犯警報ブザー６１の電池に換わる。
【００２０】
その結果、対人警報センサ６０が人を検知してリレースイッチ６０ａをＯＮさせたときには、整流回路３４により発生する出力電力は、トランス３４ｂによりＡＣ１００ＶからＤＣ５Ｖ〜６Ｖ程度の電圧の電力に変換されて防犯警報ブザー６１のコンデンサＣに供給される。このとき、磁石スイッチ７が防犯警報ブザー６１の本体から外されていれば、防犯警報ブザー６１は警報動作をして、鳴り、磁石スイッチ７が取り外されていければ防犯警報ブザー６１は鳴らない。
しかも、リレースイッチ６０ａのＯＮしている期間は、対人警報センサ６０で発光時間の調整として本来もっている発光時間の調整で可能である。そこで、これを調整して５分あるいは１０分程度の一定期間の間、圧電スピーカ６３を鳴らし続けることが可能であり、その期間の調整もできる。
したがって、この磁石スイッチ式のドア，窓用の防犯警報ブザー６１を出入り口１０ａ（第１のエリア）に設け、対人警報センサ６０を対人センサ２に換えて設ければ、図１の実施例と同様な動作をする。ただし、ドア，窓用防犯の警報ブザー６１では、防犯ブザー部分と磁石７、そしてスイッチ３１とが一緒となっているので、侵入者に破壊される可能性が残る。しかし、これらをケース等で保護し、目立たないところに設置しておけば、音響が大きいので防犯効果は高いものになる。
もちろん、出入り口だけでなく、図２のスイッチ８で示すように、２階の寝室に防犯警報ブザー６１を設けておき、対人警報センサ６０を１階の居間に設けて、寝るときなどに磁石７を外して監視状態とすることが容易にできる。したがって、防犯警報ブザー６１は、出入り口１０ａに設ける必要はない。この例は、対人警報センサ６０は、常時警報状態となっていて、磁石７＋スイッチ３１が警報器の警報動作をさせる構成になる。
その結果、対人警報センサ６０の対人検出信号とスイッチ３１（第１のスイッチ）の信号との論理積に応じて警報器が駆動される警報システムになる。
以上の場合、もちろん、防犯警報ブザー６１のリードスイッチのスイッチ３１と磁石７と配線ラインで取り出して、その他の防犯警報ブザー６１部分を対人警報センサ６０側に設けてもよい。
【００２１】
ところで、この実施例においては、出入り口（第１のエリア）１０ａと監視エリア（第２のエリア）１１ａとの間に、電源側の配線ライン１６，１７と信号線Ｓ1，Ｓ2の配線が必要になる。その配線ラインの長さが１０ｍ〜１５ｍ程度か、それ以上となり、長くなる。そこで、これらの配線は、電話配線等で使用される４本線のフラットケーブル等を使用するとよい。これは、図１の実施例の配線ライン３３についても同様であり、２本線のフラットケーブルとするとよい。
これら配線ラインを構成するフラットケーブルは、両面接着テープを裏面に装着して配線する際には、壁面や鴨居等の横木に接着固定するとよく、壁面等の配線ラインには壁面等ほぼ同色の粘着テープを装着して配線ラインをコーティングし、配線ラインを隠すようにすることができる。このような構成を採ることで、特殊な配線工事は不要になる。
配線ラインの長さがさらに長い場合には光ケーブル等を用いることができ、フォトカップ等の光スイッチを用いた配線ラインで結合することも可能である。
【００２２】
以上説明してきたが、図１の実施例では、スイッチ本体３１を磁石７でＯＮ／ＯＦＦさせる例を挙げているが、図５の実施例で示すように、この発明は、必ずしもスイッチ本体３１と磁石７による磁気動作のスイッチによる必要とするものではない。また、ここでのスイッチを隠れスイッチにすれば、泥棒等の家屋侵入者は、容易に発見し難い。この隠れスイッチとしては、玄関１０の目立たないところにボックスあるいは埋め込みボックスを設けてその内部に隠して配置するスイッチである。この場合、スイッチに対する配線ラインは、前記したように、壁面あるいは床面と同系色で表面を覆うか、天井裏を通して別途配線するとよい。
また、実施例では、手動操作の隠しスイッチ３１０あるいはスイッチ本体３１を磁石７側を対人検出対象とはならない玄関等の出入り口の第１のエリアに配置して起動回路本体３２側を対人センサ２側の設けているが、図５の実施例のように、起動回路本体３２を玄関等の出入り口の第１のエリアに配置することができる。この場合、ブレーク接点のリレースイッチ３６のみを配線ラインにより起動回路本体３２から取出して対人センサ２側に設けるようにしてもよい。
さらに、実施例の間欠駆動回路４は、所定時間警報器５を駆動するタイマであってもよい。
さらにまた、実施例の電源回路３４は、乾電池やリチウムイオン二次電池等の電池が使用されてもよい。
【産業上の利用可能性】
【００２３】
以上説明してきたが、実施例では、対人センサ２を玄関の次の間１１に配置しているが、この対人センサ２をスイッチ本体３１が配置された出入り口に隣接するエリア以外の他のエリアに配置してもよいことはもちろんである。さらに、多くの対人センサ２を多数のエリアにそれぞれ設けて、それらを並列接続してもよい。
また、実施例では、出入り口（第１のエリア）１０ａを玄関１０の一部に設定し、玄関等の出入り口を対人検出対象とはしないようにしているが、これは、玄関１０ａの全体であってもよい。また、玄関等を監視対象とした場合には、対人検出対象とはならない裏口等に第１のスイッチを設けてもよい。
さらに、対人センサ２としては赤外線センサに限らず、マイクで人が歩く音を検出して人がいることを検出する音響センサが用いられてもよい。さらには、感温センサ等で人の体温を検出するようなものであってもよい。また、光源と光センサを向かい合わせた遮光形光センサや電波、超音波を用いて人からの反射波を受光する反射形センサなどであってもよい。
【図面の簡単な説明】
【００２４】
【図１】図１は、この発明の警報システムを適用した一実施例の回路図である。
【図２】図２は、その家屋における配置図である。
【図３】図３は、この発明の警報システムを適用したさらに他の実施例の説明図である。
【図４】図４は、磁石とスイッチ本体との鍵型結合の説明図である。
【図５】図５は、この発明の警報システムを適用したさらに他の実施例の説明図である。
【図６】図６は、この発明の警報システムを適用したさらに他の実施例の説明図である。
【符号の説明】
【００２５】
１…警報システム、２…対人センサ、
３…起動回路、４…間欠駆動回路、
５…警報器、６…動作停止スイッチ、７…磁石、
８…スイッチ、９，３３…配線ライン、
１０…玄関、１０ａ…出入り口（第１のエリア）、
１１…玄関の次の間、１１ａ…監視エリア（第２のエリア）
１２…主寝室、
３１…スイッチ本体、３２…起動回路本体、
３４…電源回路、３５…リレー駆動回路、
６１…防犯警報ブザー、６０…対人警報センサ、
６０ａ…リレースイッチ、
３６…リレースイッチ、Ｒ1，Ｒ2…バイアス抵抗、
Ｑ…ＮＰＮのバイポーラトランジスタ。
【図１】
2005222505.tif 000003
【図２】
2005222505.tif 000004
【図３】
2005222505.tif 000005
【図４】
2005222505.tif 000006
【図５】
2005222505.tif 000007
【図６】
2005222505.tif 000008